(57)【要約】【課題】高度ＢＳデジタル放送／高度広帯域ＣＳデジタル放送で受信した映像コンテンツを、ＩＰインタフェースを介して出力する際のコンテンツ保護方式が要望されている。【解決手段】本実施形態の映像コンテンツ処理装置は、ＭＰＥＧ−２で多重されている放送信号あるいはＭＭＴ−ＴＬＶ方式で多重されている放送信号の少なくとも一方を受信する放送信号受信装置において、前記放送信号で送られてくるコンテンツを受信する受信手段と、ＩＰインタフェースを持つ出力手段と、ＤＴＣＰ２によるコンテンツ保護方式のフォーマットに従い、前記出力手段を介して前記コンテンツを出力する処理を行う制御手段とを具備し、前記受信手段により受信したコンテンツに付随するtransfer_characteristicsあるいはvideo_transfer_characteristicsの値を用いてＳＤＯおよびＥＩに設定する値の少なくとも一方を決定し前記コンテンツの保護を施す映像コンテンツ処理装置である。【選択図】図１
2020088796.tif 000002
【特許請求の範囲】
【請求項１】
ＭＰＥＧ−２で多重されている放送信号あるいはＭＭＴ−ＴＬＶ方式で多重されている放送信号の少なくとも一方を受信する映像コンテンツ処理装置において、
前記放送信号で送られてくるコンテンツを受信する受信手段と、
ＩＰインタフェースを持つ出力手段と、
ＤＴＣＰ２によるコンテンツ保護方式のフォーマットに従い、前記出力手段を介して前記コンテンツを出力する処理を行う制御手段と、
を具備し、
前記制御手段は、前記ＩＰインタフェースを介して前記コンテンツを出力する際に、前記受信手段により受信した前記コンテンツに付随して前記ＭＰＥＧ−２で多重されている放送信号に含まれるＳＩ信号に配置されたtransfer_characteristicsあるいは前記ＭＭＴ−ＴＬＶ方式で多重されている放送信号に含まれるＳＩ信号に配置されたvideo_transfer_characteristicsの値を用いて、ＤＴＣＰ２によるコンテンツ保護方式のフォーマットに含まれるコンテンツ利用識別子であるＳＤＯおよびＥＩに設定する値の少なくとも一方を決定して、前記コンテンツの保護を施す映像コンテンツ処理装置。
【請求項２】
前記制御手段は、前記transfer_characteristicsの値あるいは前記video_transfer_characteristicsの値が１の場合もしくは１または２の場合は、前記フォーマットに含まれるコンテンツ利用識別子のうちＥＩの値を０に設定する、請求項１に記載の映像コンテンツ処理装置。
【請求項３】
前記制御手段は、前記transfer_characteristicsの値あるいは前記video_transfer_characteristicsの値が１以外の場合もしくは１または２以外の場合は、前記フォーマットに含まれるコンテンツ利用識別子のうちＥＩの値を１に設定する、請求項１に記載の映像コンテンツ処理装置。
【請求項４】
前記制御手段は、前記transfer_characteristicsの値あるいは前記video_transfer_characteristicsの値が１の場合もしくは１または２の場合は、前記フォーマットに含まれるコンテンツ利用識別子のうちＳＤＯの値を１に設定する、請求項１に記載の映像コンテンツ処理装置。
【請求項５】
前記制御手段は、前記transfer_characteristicsの値あるいは前記video_transfer_characteristicsの値が１以外の場合もしくは１または２以外の場合は、前記フォーマットに含まれるコンテンツ利用識別子のうちＳＤＯの値を０に設定する、請求項１に記載の映像コンテンツ処理装置。
【請求項６】
ＭＰＥＧ−２で多重されている放送信号あるいはＭＭＴ−ＴＬＶ方式で多重されている放送信号の少なくとも一方を受信する映像コンテンツ処理装置において、
前記放送信号で送られてくるコンテンツを受信し、
ＩＰインタフェースを持つ出力手段を介して前記コンテンツを出力する場合に、
受信した前記コンテンツに付随して前記ＭＰＥＧ−２で多重されている放送信号に含まれるＳＩ信号に配置されたtransfer_characteristicsあるいは前記ＭＭＴ−ＴＬＶ方式で多重されている放送信号に含まれるＳＩ信号に配置されたvideo_transfer_characteristicsの値を用いて、ＤＴＣＰ２によるコンテンツ保護方式のフォーマットに含まれるコンテンツ利用識別子であるＳＤＯおよびＥＩに設定する値の少なくとも一方を決定して、前記コンテンツの保護を施すコンテンツ処理方法。
【発明の詳細な説明】
【技術分野】
【０００１】
本発明の実施形態は、映像コンテンツの処理装置およびその処理方法に関する。
【背景技術】
【０００２】
高度ＢＳデジタル放送／高度広帯域ＣＳデジタル放送（新４Ｋ８Ｋ衛星放送）の本格運用に向けて、高度ＢＳデジタル放送／高度広帯域ＣＳデジタル放送に関する規格化が、一般社団法人電波産業会（ＡＲＩＢ：Association of Radio Industries and Businesses)を中心として進められている。
【先行技術文献】
【非特許文献】
【０００３】
【非特許文献１】「デジタル放送におけるＭＭＴによるメディアトランスポート方式  標準規格」  ARIB STD-B60 1.13版  2018年10月11日改定、一般社団法人  電波産業会
【非特許文献２】「高度広帯域衛星デジタル放送運用規定」  ARIB TR-B39 1.9版  2018年10月11日改定、一般社団法人  電波産業会
【非特許文献３】「Digital Transmission Content Protection2[DTCP2] Specification Volume1」Rev 1.0.2-20180912,Digital Transmission Licensing Administrator
【発明の概要】
【発明が解決しようとする課題】
【０００４】
高度ＢＳデジタル放送／高度広帯域ＣＳデジタル放送によりコンテンツを受信する放送信号受信装置において、受信したコンテンツを、放送信号受信装置が備えるＩＰインタフェースを介して出力する際に、適用するコンテンツ保護方式の実現が要望されている。
【課題を解決するための手段】
【０００５】
本実施形態の映像コンテンツ処理装置は、
ＭＰＥＧ−２で多重されている放送信号あるいはＭＭＴ−ＴＬＶ方式で多重されている放送信号の少なくとも一方を受信する映像コンテンツ処理装置において、
前記放送信号で送られてくるコンテンツを受信する受信手段と、
ＩＰインタフェースを持つ出力手段と、
ＤＴＣＰ２によるコンテンツ保護方式のフォーマットに従い、前記出力手段を介して前記コンテンツを出力する処理を行う制御手段と、
を具備し、
前記制御手段は、前記ＩＰインタフェースを介して前記コンテンツを出力する際に、前記受信手段により受信した前記コンテンツに付随して前記ＭＰＥＧ−２で多重されている放送信号に含まれるＳＩ信号に配置されたtransfer_characteristicsあるいは前記ＭＭＴ−ＴＬＶ方式で多重されている放送信号に含まれるＳＩ信号に配置されたvideo_transfer_characteristicsの値を用いて、ＤＴＣＰ２によるコンテンツ保護方式のフォーマットに含まれるコンテンツ利用識別子であるＳＤＯおよびＥＩに設定する値の少なくとも一方を決定して、前記コンテンツの保護を施す映像コンテンツ処理装置である。
【図面の簡単な説明】
【０００６】
【図１】図１は、本実施形態に係る放送信号受信装置とその周辺の機器とを概略的に示す図である。
【図２】図２は、本実施形態に係る放送信号受信装置に放送波を送出する放送信号送信装置の構成例を概略的に示す図である。
【図３】図３は、本実施形態に係る放送信号受信装置を概略的に示す図である。
【図４】図４は、本実施形態に係る放送信号受信装置が有する出力先とその出力先を介してコンテンツを出力する場合のコンテンツ保護方式との組み合わせの一例を示す図である。
【図５Ａ】図５Ａは、本実施形態に係る放送信号受信装置において、受信したコンテンツを高速デジタルＩ／Ｆを介して出力するために、ＣＭＩのＤｅｓｃｒｉｐｔｏｒ１に含まれるＣＣＩ、ＥＰＮ等の各コンテンツ利用識別子に設定する設定値の一例を示す図である。
【図５Ｂ】図５Ｂは、本実施形態に係る放送信号受信装置において、受信したコンテンツを高速デジタルＩ／Ｆを介して出力するために、ＣＭＩのＤｅｓｃｒｉｐｔｏｒ１に含まれるＣＣ、ＡＰＳ等の各コンテンツ利用識別子に設定する設定値の一例を示す図である。
【図６】図６は、ＲＭ(Retention_mode)のビットアサインと、各ビットアサインの意味を示す一覧である。
【図７】図７は、ＲｅｔｅｎｔｉｏｎＳｔａｔｅのビットアサインと、各ビットアサインのＲｅｔｅｎｔｉｏｎＴｉｍｅを示す一覧である。
【図８】図８は、ＥＰＮのビットアサインと、各ビットアサインの意味を示す一覧である。
【図９】図９は、ＣＣＩのビットアサインと、各ビットアサインの意味を示す一覧である。
【図１０】図１０は、ＡＥＴのビットアサインと、各ビットアサインの意味を示す一覧である。
【図１１】図１１は、ＤＯＴのビットアサインと、各ビットアサインの意味を示す一覧である。
【図１２】図１２は、ＡＳＴのビットアサインと、各ビットアサインの意味を示す一覧である。
【図１３】図１３は、ＩＣＴのビットアサインと、各ビットアサインの意味を示す一覧である。
【図１４】図１４は、ＡＰＳのビットアサインと、各ビットアサインの意味を示す一覧である。
【図１５】図１５は、ＳＤＯのビットアサインと、各ビットアサインの意味を示す一覧である。
【図１６】図１６は、ＨＤＲのビットアサインと、各ビットアサインの意味を示す一覧である。
【図１７】図１７は、Ｌ２−Ｏｎｌｙのビットアサイン１７０１と、各ビットアサインの意味１７０２を示す一覧である。
【図１８】図１８は、ＥＩのビットアサイン１８０１と、各ビットアサインの意味１８０２を示す一覧である。
【図１９】図１９は、ＣＣのビットアサイン１９０１と、各ビットアサインの意味１９０２を示す一覧である。
【図２０Ａ】図２０Ａは、コンテンツコピー制御記述子のフォーマットを示す図である。
【図２０Ｂ】図２０Ｂは、デジタルコピー制御情報のビットアサインと、各ビットアサインの意味を示す一覧である。
【図２１Ａ】図２１Ａは、コンテンツ利用制御記述子のフォーマットを示す図である。
【図２１Ｂ】図２１Ｂは、一時蓄積制御ビットのビットアサインと、各ビットアサインの一時蓄積許容時間を示す一覧である。
【図２２Ａ】図２２Ａは、映像コンポーネント記述子のフォーマットを示す図である。
【図２２Ｂ】図２２Ｂは、映像信号解像度のビットアサインと、各ビットアサインの意味を示す一覧である。
【図２２Ｃ】図２２Ｃは、映像信号伝達特性のビットアサインと、各ビットアサインの意味を示す一覧である。
【図２３】図２３は、本実施形態に係る放送信号受信装置において、受信したコンテンツを高速デジタルＩ／Ｆを介して出力するために、ＣＭＩのＤｅｓｃｒｉｐｔｏｒ１に含まれるＡＰＳ、ＩＣＴ、ＤＯＴ、ＡＳＴの各コンテンツ利用識別子に設定する設定値の他の例を示す図である。
【図２４】図２４は、本実施形態に係る放送信号受信装置において、受信したコンテンツを高速デジタルＩ／Ｆ３３０を介して出力するために、Ｄｅｓｃｒｉｐｔｏｒ１の各コンテンツ利用識別子に値を設定する処理フローの例を示す図である。
【図２５】図２５は、本実施形態に係る放送信号受信装置において、高速デジタルＩ／Ｆを介してコンテンツを送出する場合、送出先である他の放送信号受信装置までの送出ルートの例を概略的に示す図である。
【図２６Ａ】図２６Ａは、本実施形態に係る放送信号受信装置において、高速デジタルＩ／Ｆを介してコンテンツを送出する場合、送出先であるレコーダまでの送出ルートの別の例を概略的に示す図である。
【図２６Ｂ】図２６Ｂは、本実施形態に係る放送信号受信装置において、高速デジタルＩ／Ｆを介してコンテンツを送出する場合、送出先であるレコーダまでの送出ルートの別の例を概略的に示す図である。
【図２７】図２７は、本実施形態に係る放送信号受信装置において、受信したコンテンツを高速デジタルＩ／Ｆを介して出力するために、ＣＭＩのＤｅｓｃｒｉｐｔｏｒ１に含まれるＣＣＩ、ＥＰＮ等の各コンテンツ利用識別子に設定する設定値の他の例を示す図である。
【発明を実施するための形態】
【０００７】
図１は、本発明の実施形態に係る放送信号受信装置（手段）１４０を含むシステム全体の構成例を示す図である。
本システムは、放送信号送信装置（手段）１００、放送信号受信装置（手段）１４０、通信衛星１５０、他の放送信号受信装置１４０−２、レコーダ１３１を含む。放送信号受信装置（手段）１４０は、有線ＬＡＮあるいは無線ＬＡＮ等のネットワーク１２０を介して接続されている例えばデータコンテンツサーバとデータコンテンツサービスのやり取りを行ったり、ＤＬＮＡ（登録商標）（Digital Living Network Alliance）準拠の他の放送信号受信装置１４０−２やレコーダ１３１と映像や音声のコンテンツのやり取りを行ったりすることが可能である。
【０００８】
放送番組を放送する放送信号送信装置（手段）１００は、放送番組サーバ１０１および第１の基本機能１０２を備える。放送信号送信装置１００は、放送局とも呼ぶ。また放送信号送信装置１００は、各放送事業者の番組を集約して通信衛星１５０にアップリンクする地上局であってもよい。
【０００９】
放送番組サーバ１０１は、放送局１００として放送する番組のデータ、番組の名称、放送日時、内容の説明等を予め保存しておくエリアである。放送番組サーバ１０１は、各放送事業者から送られてきた番組等のデータを保存するサーバであってもよい。
第１の基本機能１０２は、放送局１００の基本的な機能であり、放送する番組の映像データや音声データ等を符号化（エンコードとも呼ぶ）し、制御情報であるＳＩ(Signaling Information)信号を含めて多重化して放送信号として送出する機能を持つ。
【００１０】
ＳＩ信号には、後述するコンテンツコピー制御記述子、コンテンツ利用制御記述子、映像コンポーネント記述子と呼ばれる制御情報が含まれる。
放送信号送信装置１００から送出される放送信号の多重化方式は、非特許文献１に記載のＭＭＴ・ＴＬＶ方式を準拠するものとする。
【００１１】
放送信号受信装置（手段）１４０は、第２の基本機能１４１、制御手段１４２を含む。また放送信号受信装置１４０は、周辺機器と接続するためのＩ／Ｆを介して、表示装置１６０、ＨＤＤ（Hard Disk Drive）１６２、リムーバブルディスク１６５等と接続可能である。放送信号受信装置１４０は、デジタルテレビジョン受信装置とも呼ぶ。放送信号受信装置１４０は、また映像コンテンツ処理装置とも呼ぶ。
【００１２】
第２の基本機能１４１は、テレビジョン受信装置１４０としての基本的な機能であり、放送局１００から送られてくる放送信号を受信し、放送信号に含まれる符号化された映像信号（映像ストリームとも呼ぶ）、符号化された音声信号（音声ストリームとも呼ぶ）、ＳＩ信号を分離し、映像信号および音声信号を復号化（デコードとも呼ぶ）したり、ＳＩ信号を解析したりする機能を持つ。
【００１３】
制御手段１４２は、テレビジョン受信装置１４０の全体的な動作を制御する制御手段である。また制御手段１４２は、テレビジョン受信装置１４０に接続されている周辺機器、例えば表示装置１６０、スピーカ１６１、テレビジョン受信装置１４０にバインドされているＨＤＤ（Hard Disk Drive）１６２、リムーバブルディスク１６５等との接続の管理やデータの送受信の管理も行う。
【００１４】
また制御手段１４２は、後述するデジタル音声出力、デジタル映像音声出力、高速デジタルＩ／Ｆ等の出力先に応じて、出力するコンテンツの保護を行う。制御手段１４２が行う、出力先ごとのコンテンツの保護方式の例は図４を用いて説明する。
表示装置１６０は、第２の基本機能１４１で受信した放送信号に含まれる映像を表示する手段である。表示装置１６０は、第２の基本機能１４１で受信した放送信号に含まれる音声信号を出力するスピーカ１６１を内蔵していてもよい。
【００１５】
また音声信号を出力する装置は、表示装置１６０に内蔵されているスピーカ１６１とは別にＵＳＢ（Universal Serial Bus）やＨＤＭＩ（登録商標）等のＩ／Ｆによりテレビジョン受信装置と接続された外部のスピーカであってもよい。
【００１６】
図１に示す例では、表示装置１６０は、放送信号受信装置１４０と別体として記載しているが、放送信号受信装置１４０の１機能として放送信号受信装置１４０と一体であってもよい。
図２は、本発明の実施形態が適用される放送信号受信装置１４０に放送波を送出する放送信号送信装置１００の構成例を概略的に示す図である。放送信号送信装置１００は、放送局サーバ１０１に蓄えられている放送番組を放送信号で送信するために、番組の映像データや音声データ等を符号化（エンコード）して放送信号して送出する。
【００１７】
音声エンコーダ２１１は、放送局サーバ１０１に蓄えられている番組の音声データを符号化する機能を持つ。音声エンコーダ２１１は、放送する番組を放送局サーバ１０１から読み出すと、読み出した番組の音声データを符号化する。
映像エンコーダ２１２は、放送局サーバ１０１に蓄えられている番組の映像データを符号化する機能を持つ。映像エンコーダ２１２は、放送する番組を放送局サーバ１０１から読み出すと、読み出した番組の映像データを符号化する。
【００１８】
制御情報生成手段２１３は、ＴＬＶパケットおよびＭＭＴの制御情報であるＳＩ信号を生成する機能を持つ。非特許文献１に記載のように、ＴＬＶパケットの制御情報とは、ＩＰパケットの多重に関する制御情報（ＴＬＶ−ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ−ＳＩとも呼ばれる）である。後述するコンテンツコピー制御記述子、コンテンツ利用制御記述子、映像コンポーネント記述子は、ＭＭＴ-ＳＩの１つである。
【００１９】
制御情報生成手段２１３は、音声エンコーダ２１１、映像エンコーダ２１２がエンコード対象とした番組に付随する制御情報を含むＴＬＶパケットおよびＭＭＴの制御情報の信号を生成する。
スクランブラ２１５は、音声エンコーダ２１１から出力されたエンコードされた音声ストリーム、映像エンコーダ２１２から出力されたエンコードされた映像ストリームを、ＣＡＳモジュール２１６と連携してスクランブルする機能を持つ。
【００２０】
ＣＡＳモジュール２１６は、スクランブラ２１５がスクランブルする際に使用する鍵を生成するモジュールである。
マルチプレクサ（多重化処理）２１７は、音声エンコーダ２１１が音声データをエンコードして生成した音声ストリーム、映像エンコーダ２１２が映像データをエンコードして生成した映像ストリームおよび制御情報生成手段２１３で生成された制御情報（ＳＩ信号）を、ＭＭＴ・ＴＬＶ方式で多重する機能を持つ。マルチプレクサ（多重化処理）２１７は、音声ストリーム、映像ストリーム、ＴＬＶパケットおよびＭＭＴの制御情報（ＳＩ信号）を多重化したＴＬＶストリームを生成する。
【００２１】
送信手段２１８は、ＴＬＶストリームを放送波として送出する機能を持つ。送信手段２１８は、マルチプレクサ（多重化処理）２１７が生成したＴＬＶストリームを、１６ＡＰＳＫなどの変調や誤り訂正符号化などの伝送路符号化処理を行い放送波として送出する。
【００２２】
図３は、本発明の実施形態に係る放送信号受信装置１４０の構成例を概略的に示す図である。
放送信号受信装置１４０は、放送信号を受信する受信機能である第２の基本機能１４１と制御手段１４２を含む。
第２の基本機能１４１は、チューナー３０１、復調器３０２、デスクランブラ３０３、デマルチプレクサ（ＴＬＶ／ＭＭＴ分離処理）３０４、音声デコーダ３０５、映像デコーダ３０６、ＣＡＳモジュール３０８、提示処理３０９を含む。
【００２３】
チューナー３０１は、必要な放送信号を検出し、検出した放送信号を復調器３０２に入力する。
復調器３０２は、多重化されているＴＬＶストリームを復調し、復調したＴＬＶストリームをデマルチプレクサ３０４（ＴＬＶ／ＭＭＴ分離処理）に入力する。
【００２４】
デマルチプレクサ（ＴＬＶ／ＭＭＴ分離処理）３０４は、入力されたＴＬＶストリームを、映像ストリーム、音声ストリーム、制御情報（ＳＩ信号）に分離する。スクランブルされている音声ストリームと映像ストリームは、デマルチプレクサ３０４（ＴＬＶ／ＭＭＴ分離処理）により分離された制御情報に含まれるＥＭＭ/ＥＭＣを用いてＣＡＳモジュール３０８により生成された鍵を用いて、デスクランブラ３０３によりデスクランブルされる。制御情報（ＳＩ信号）は、制御手段１４２により解析され処理される。
【００２５】
デスクランブラ３０３は、デスクランブルした音声ストリームを音声デコーダ３０５に、映像ストリームを映像デコーダ３０６に入力する。
音声デコーダ３０５は、入力された音声ストリームを復号化（デコード）し、例えばスピーカ３１６に出力する音声信号を生成する。
【００２６】
映像デコーダ３０６は、入力された映像ストリームを復号化し、例えば表示装置３１７に表示する映像信号を生成する。
復合化された映像信号は、文字及びグラフィック画像の提示処理３０９を経由して出力される。
なおデスクランブラ３０３でデスクランブルされた音声ストリームと映像ストリームは、デスクランブルされるごとに音声デコーダや映像デコーダに入力されて復号化され、スピーカ３１６や表示装置３１７に出力されてもよいし、制御手段１４２が管理する蓄積装置（手段）（例えば図１のＨＤＤ１６２）に一時的に蓄積（一時蓄積）されたのちに、音声デコーダや映像デコーダに入力されて復号化され、スピーカ３１６や表示装置３１７に出力されてもよいし、制御手段１４２が管理する蓄積装置（手段）（例えば図１のＨＤＤ１６２やリムーバブルディスク１６５）に蓄積（記録、コピーとも言う）してから、音声デコーダや映像デコーダに入力されて復号化され、スピーカ３１６や表示装置３１７に出力されてもよい。
【００２７】
提示処理３０９は、映像デコーダ３０６が映像ストリームを復号化して生成した映像信号に文字やグラフィック画像を合成して表示装置３１７に表示する映像を生成する。
音声出力３１１は、放送信号受信装置１４０が備えるスピーカ３１６に音声信号を出力するためのＩ／Ｆである。なお制御手段１４２は、音声デコーダ３０５から出力される音声信号の通常の出力先として、音声出力３１１を設定してもよい。
【００２８】
映像出力３１２は、放送信号受信装置１４０が備える表示装置３１７に映像信号を出力するためのＩ／Ｆである。なお制御手段１４２は、映像デコーダ３０６から出力される映像信号の通常の出力先として、映像出力３１２を設定してもよい。
デジタル音声出力３１３は、放送信号受信装置１４０の外部接続機器であるオーディオ機器（図示せず）に音声信号を出力するためのＩ／Ｆである。デジタル音声出力３１３のＩ／Ｆは、例えばＨＤＭＩのＩ／Ｆである。オーディオ機器等の外部接続機器は、マルチチャンネルオーディオに対応する機器であってもよい。
【００２９】
デジタル映像音声出力３１４は、放送信号受信装置１４０の外部接続機器であるＡＶ機器（図示せず）に音声信号および映像信号を出力するためのＩ／Ｆである。デジタル映像音声出力３１４のＩ／Ｆは、例えばＨＤＭＩのＩ／Ｆである。ＡＶ機器等の外部接続機器は、マルチチャンネルオーディオに対応する機器であってもよい。
【００３０】
復号化された音声信号の出力先は、例えば音声出力３１１のＩ／Ｆを介して放送信号受信装置１４０に備えられたスピーカ３１６であってもよい、あるいは例えばＨＤＭＩ等のデジタル音声出力３１３あるいはデジタル映像音声出力３１４のＩ／Ｆを介して接続された外部接続機器であってもよい。
【００３１】
同様に復号化された映像信号の出力先は、例えば映像出力３１２のＩ／Ｆを介して放送信号受信装置１４０に備えられた表示装置３１７であってもよい、あるいは例えばＨＤＭＩ等のデジタル映像音声出力３１４のＩ／Ｆを介して接続された他の外部接続機器であってもよい。
【００３２】
高速デジタルＩ／Ｆ３３０は、ＩＰインタフェースであり、有線ＬＡＮあるいは無線ＬＡＮ等のネットワーク１２０を介して接続されている例えばデータコンテンツサーバとデータコンテンツサービスのやり取りを行ったり、ＤＬＮＡ（Digital Living Network Alliance）準拠の他の放送信号受信装置１４０−２やレコーダ１３１等の接続機器と映像や音声のコンテンツのやり取りを行ったりするためのＩ／Ｆである。
【００３３】
制御手段１４２は、受信したコンテンツの音声信号および映像信号を、音声出力３１１、映像出力３１２、デジタル音声出力３１３、デジタル映像音声出力３１４、高速デジタルＩ／Ｆ３３０のいずれの出力先から出力するかを、例えば表示装置３１７に表示する機能設定画面においてユーザ選択により設定できるように制御してもよい。
【００３４】
同様に制御手段１４２は、受信したコンテンツを高速デジタルＩ／Ｆ３３０を介して出力する際に、蓄積装置（手段）を経由（一時蓄積）して出力するか、蓄積装置（手段）を経由（一時蓄積）せずに出力するかを、表示装置３１７に表示する機能設定画面においてユーザ選択により設定できるように制御してもよい。
【００３５】
同様に制御手段１４２は、受信したコンテンツを高速デジタルＩ／Ｆ３３０を介して出力する際に、蓄積装置（手段）に蓄積（記録、コピーとも言う）してから出力するか、蓄積装置（手段）に蓄積（記録、コピーとも言う）しないで出力するかを、表示装置３１７に表示する機能設定画面においてユーザ選択により設定できるように制御してもよい。これにより放送信号受信装置１４０のユーザは、受信したコンテンツを蓄積するあるいは一時蓄積することを、選択して設定することが可能である。
【００３６】
Ｉ／Ｏ３２０は、ディスク等のように放送信号受信装置１４０から取り外すことが可能な記録媒体を制御して、受信したコンテンツを一時蓄積または記録（コピー、蓄積とも言う）することが可能な周辺機器と接続するためのＩ／Ｆである。周辺機器は、再生機能を有していてもよい。
【００３７】
なお放送信号受信装置１４０は、図３に示すように音声出力３１１、映像出力３１２、デジタル音声出力３１３、デジタル映像音声出力３１４、高速デジタルＩ／Ｆ３３０、Ｉ／Ｏ３２０の各出力先を持つが、これは一例でありこれ以外の出力先を有してもよいし、図３に示す出力先の一部だけを有してもよい。第２の基本機能のうち、チューナー３０１、復調器３０２、デスクランブラ３０２、デマルチプレクサ３０４、ＣＡＳモジュールを受信手段とも呼ぶ。
【００３８】
これらの第２の基本機能１４１に含まれる各機能ブロックは、システムバス３２６を介してＣＰＵ３２５と接続されており、ＲＯＭ３２３やＮＶＲＡＭ３２１に保存されているデータをもとに動作するＣＰＵ３２５の処理により制御される。
ＣＰＵ３２５は、システムバス３２６を介して第２の基本機能１４１に含むれる各機能ブロックと接続されており、またシステムバス３２６を介してＲＡＭ（主メモリ）３２４、ＲＯＭ３２３、ＮＶＲＡＭ３２１と接続されている。またＣＰＵ３２５は、第２の基本機能１４１を含み放送信号受信装置１４０全体を制御している。
【００３９】
上述した蓄積装置（手段）は、例えばＲＡＭ３２４であってもよい、あるいはＣＰＵ３２５の処理により制御される他の記録手段（図示せず）であってもよい。
また表示装置３１７に表示する機能設定画面において、ユーザが選択して設定した出力先や受信したコンテンツを高速デジタルＩ／Ｆ３３０を介して出力する際に蓄積装置（手段）を経由（一時蓄積）するか、蓄積（記録、コピーとも言う）するか否かの情報は、ＣＰＵ３２５により例えばＮＶＲＡＭ３２１に保存されてもよい。
【００４０】
ＮＶＲＡＭ３２１、ＲＯＭ３２３、ＲＡＭ３２４、ＣＰＵ３２５、システムバス３２６をまとめて制御手段１４２と呼ぶ。
図４は、本実施形態に係る放送信号受信装置１４０が有する出力先とその出力先を介してコンテンツを出力する場合のコンテンツ保護方式との組み合わせの一例を示す図である。
【００４１】
制御手段１４２は、例えばコンテンツコピー制御記述子によりコピーを制限するように指定されている、あるいはコンテンツ利用制御記述子によりコンテンツ保護を施すように指定されているコンテンツを、デジタル映像音声出力３１４を介して出力する場合、非特許文献１および非特許文献２に記載のようにＨＤＣＰ(High-bandwidth Digital Content Protection System）の仕様に従って、コンテンツ保護を施して出力することが出来る。
【００４２】
また制御手段１４２は、例えばコンテンツコピー制御記述子によりコピーを制限するように指定されている、あるいはコンテンツ利用制御記述子によりコンテンツ保護を施すように指定されているコンテンツを、デジタル音声出力３１３を介して出力する場合、非特許文献１および非特許文献２に記載のようにＳＣＭＳ(Serial Copy Management System)の仕様に従って、コンテンツ保護を施して出力することが出来る。
【００４３】
また制御手段１４２は、例えばコンテンツコピー制御記述子によりコピーを制限するように指定されている、あるいはコンテンツ利用制御記述子によりコンテンツ保護を施すように指定されているコンテンツを、Ｉ／Ｏ３２０に接続されている例えば図１に示すリムーバブルディスク１６５に記録（蓄積、コピーとも言う）する場合、非特許文献２に記載の認定基準に従ってコンテンツ保護を施して出力することが出来る。
【００４４】
さらに本実施形態の放送信号受信装置１４０は、コンテンツコピー制御記述子によりコピーを制限するように指定されている、あるいはコンテンツ利用制御記述子によりコンテンツ保護を施すように指定されているコンテンツを、ＩＰインタフェースである高速デジタルＩ／Ｆ３３０を介して出力するために、ＤＴＣＰ２(Digital Transmission Content Protection-2)の仕様に沿ったコンテンツ保護を施して出力することが出来る。高速デジタルＩ／Ｆ３３０を介して出力する出力先は、例えば他の放送信号受信装置１４０−２やレコーダ１３１である。
【００４５】
以下、本実施形態の放送信号受信装置１４０における、放送信号で送られてきたコンテンツを高速デジタルＩ／Ｆ３３０を介して出力する際に適用するコンテンツ保護方式であるＤＴＣＰ２(Digital Transmission Content Protection-2)の処理について説明する。
【００４６】
非特許文献３に記載の通りＤＴＣＰ２のＣＭＩ(Content Management Information)は、放送信号受信装置１４０から送出されるコンテンツの、例えばコピー制御やコピー回数等の利用ルールに関する制御情報を含む。
ＣＭＩは、複数のＤｅｓｃｒｉｐｔｏｒから構成され、各Ｄｅｓｃｒｉｐｔｏｒはコンテンツ利用識別子と呼ばれる複数の制御情報から構成される。映像音声のコンテンツに対してコンテンツ保護を施す場合、Ｄｅｓｃｒｉｐｔｏｒ１に含まれる各コンテンツ利用識別子に値を設定する必要がある。
【００４７】
そこで本実施形態の放送信号受信装置１４０は、ＤＴＣＰ２のＣＭＩに含まれるＤｅｓｃｒｉｐｔｏｒ１の各コンテンツ利用識別子に、放送信号で送られてきたコンテンツを高速デジタルＩ／Ｆ３３０を介して出力するための値を設定する機能を有する。
図５Ａおよび図５Ｂは、本実施形態に係る放送信号受信装置１４０において、受信したコンテンツを高速デジタルＩ／Ｆ３３０を介して出力するために、ＣＭＩに含まれるＤｅｓｃｒｉｐｔｏｒ１の各コンテンツ利用識別子に設定する設定値の一例を示す図である。
【００４８】
図５Ａは、本実施形態に係る放送信号受信装置１４０において、受信したコンテンツを高速デジタルＩ／Ｆ３３０を介して出力するために、コンテンツに付随して送られてきたＳＩ信号に含まれるコンテンツコピー制御記述子のデジタルコピー制御情報(digital_recording_control_data)のビットアサインおよびコンテンツ利用制御記述子の出力保護ビット(encryption_mode)、一時蓄積制御ビット(retention_mode)、一時蓄積許容時間(retention_state)のビットアサインに応じて、Ｄｅｓｃｒｉｐｔｏｒ１に含まれるＣＣＩ(Copy Control Information)、ＥＰＮ(Encryption Plus Non-assertion)、Ｒｅｔｅｎｔｉｏｎ＿ｍｏｄｅ／Ｒｅｔｅｎｔｉｏｎ＿Ｓｔａｔｅの各コンテンツ利用識別子に設定する設定値の一例を示した図である。なおコンテンツコピー制御記述子のフォーマットは図２０Ａおよび図２０Ｂを用いて、コンテンツ利用制御記述子のフォーマットは図２１Ａおよび図２１Ｂを用いて説明する。
【００４９】
制御手段１４２は、放送波で送られてきたコンテンツを高速デジタルＩ／Ｆ３３０を介して出力する場合、コンテンツに付随するＳＩ情報に含まれるコンテンツコピー制御記述子に配置されたデジタルコピー制御情報(digital_recording_control_data)およびコンテンツ利用制御記述子に配置された出力保護ビット(encryption_mode)、一時蓄積制御ビット(retention_mode)、一時蓄積許容時間(retention_state)を用いて、Ｄｅｓｃｒｉｐｔｏｒ１に含まれるＣＣＩ、ＥＰＮ、Ｒｅｔｅｎｔｉｏｎ＿ｍｏｄｅ／Ｒｅｔｅｎｔｉｏｎ＿Ｓｔａｔｅの各コンテンツ利用識別子に設定する設定値を決定する。
【００５０】
制御手段１４２は、デジタルコピー制御情報の値が００、出力保護ビットの値が１の場合は、一時蓄積制御ビットの値および一時蓄積許容時間の値に関わらず、ＤＴＣＰ２によるコンテンツ保護を行わずに、高速デジタルＩ／Ｆ３３０を介してコンテンツを出力する（図５Ａの５１の場合）。
【００５１】
同様に制御手段１４２は、デジタルコピー制御情報の値が００、出力保護ビットの値が０の場合は、一時蓄積制御ビットの値および一時蓄積許容時間の値に関わらず、Ｄｅｓｃｒｉｐｔｏｒ１に含まれるＣＣＩ、ＥＰＮ、Ｒｅｔｅｎｔｉｏｎ＿ｍｏｄｅ／Ｒｅｔｅｎｔｉｏｎ＿Ｓｔａｔｅに図５Ａの５２に示す組み合わせの値を設定する。
【００５２】
同様に制御手段１４２は、デジタルコピー制御情報の値が１０の場合は、出力保護ビットの値、一時蓄積制御ビットの値および一時蓄積許容時間の値に関わらず、Ｄｅｓｃｒｉｐｔｏｒ１に含まれるＣＣＩ、ＥＰＮ、Ｒｅｔｅｎｔｉｏｎ＿ｍｏｄｅ／Ｒｅｔｅｎｔｉｏｎ＿Ｓｔａｔｅに図５Ａの５３に示す組み合わせの値あるいは５４に示す組み合わせの値を設定する。ここで図５Ａの５３に示す組み合わせの値を設定する場合は、蓄積装置（手段）を経由しないで高速デジタルＩ／Ｆ３３０を介して出力する場合であり、５４に示す組み合わせの値を設定する場合は、蓄積装置（手段）を経由して高速デジタルＩ／Ｆ３３０を介して出力する場合である。
【００５３】
同様に制御手段１４２は、デジタルコピー制御情報の値が１１の場合は、出力保護ビットの値、一時蓄積制御ビットの値および一時蓄積許容時間の値に関わらず、Ｄｅｓｃｒｉｐｔｏｒ１に含まれるＣＣＩ、ＥＰＮ、Ｒｅｔｅｎｔｉｏｎ＿ｍｏｄｅ／Ｒｅｔｅｎｔｉｏｎ＿Ｓｔａｔｅに図５Ａの５６に示す組み合わせの値あるいは５７に示す組み合わせの値を設定する。ここで制御手段１４２は、蓄積装置（手段）を経由しないで高速デジタルＩ／Ｆ３３０を介して出力する場合に図５Ａの５６に示す組み合わせの値を設定し、蓄積装置（手段）を経由して高速デジタルＩ／Ｆ３３０を介して出力する場合に図５Ａの５７に示す組み合わせの値を設定する。
【００５４】
同様に制御手段１４２は、コンテンツに付随するＳＩ情報にコンテンツコピー制御記述子が含まれていない場合、ＤＴＣＰ２によるコンテンツ保護を行わずに、高速デジタルＩ／Ｆ３３０を介してコンテンツを出力する（図５Ａの５８の場合）。
さらに制御手段１４２は、放送波で送られてきたコンテンツを高速デジタルＩ／Ｆ３３０を介して出力する場合、Ｄｅｓｃｒｉｐｔｏｒ１に含まれるＣＣ(Copy Count)、ＡＰＳ(Analog Protection System)、ＩＣＴ(Image_Constrain_Token)、ＤＯＴ(Digital_Only_Token)、ＡＳＴ(Analog_Sunset_Token)、ＨＤＲ(Hight_Dynamic_Range_Token)、Ｌ２−Ｏｎｌｙ(L2_protection-Only_Token)、ＥＩ(Enhanced_Image_Token)、ＳＤＯ(Standard_Digital_Output_Token)、ＡＥＴ(Audio Enhancement Token)の各コンテンツ利用識別子の設定値も設定する。
【００５５】
図５Ｂは、本実施形態に係る放送信号受信装置１４０において、受信したコンテンツを高速デジタルＩ／Ｆ３３０を介して出力するために、Ｄｅｓｃｒｉｐｔｏｒ１に含まれるＣＣ、ＡＰＳ、ＩＣＴ、ＤＯＴ、ＡＳＴ、ＨＤＲ、Ｌ２−Ｏｎｌｙ、ＥＩ、ＳＤＯ、ＡＥＴの各コンテンツ利用識別子に設定する設定値の一例を示す図である。
【００５６】
制御手段１４２は、ＣＣに００００を設定する。
また制御手段１４２は、ＡＰＳに００を設定する。
また制御手段１４２は、ＩＣＴに１を設定する。
また制御手段１４２は、ＤＯＴに１を設定する。
また制御手段１４２は、ＡＳＴに１を設定する。
【００５７】
また制御手段１４２は、ＨＤＲに０を設定する。
また制御手段１４２は、Ｌ２−Ｏｎｌｙに０を設定する。
また制御手段１４２は、高速デジタルＩ／Ｆ３３０を介して出力するコンテンツの輝度レンジがＳＤＲ(Standard Dynamic Range)かつ色域が従来色域かつ画素数が２Ｋ１Ｋを超えない場合、ＥＩに０を設定し、それ以外の場合、ＥＩに１を設定する。あるいは制御手段１４２は、色域および輝度レンジに関わらず画素数が２Ｋ１Ｋを超えない場合にはＥＩに０を設定し、それ以外の場合にはＥＩに１を設定するとしてもよい。
【００５８】
また制御手段１４２は、高速デジタルＩ／Ｆ３３０を介して出力するコンテンツの輝度レンジがＳＤＲ(Standard Dynamic Range)かつ色域が従来色域かつ画素数が２Ｋ１Ｋを超えない場合、ＳＤＯに１を設定し、それ以外の場合、ＳＤＯに０を設定する。あるいは制御手段１４２は、色域および輝度レンジに関わらず画素数が２Ｋ１Ｋを超えない場合にはＳＤＯに１を設定し、それ以外の場合にはＳＤＯに０を設定するとしてもよい。
【００５９】
なお制御手段１４２は、設定したＥＩの値に応じてＳＤＯの値を設定してもよい。制御手段１４２は、例えばＥＩに設定した値を反転した値を、ＳＤＯの値に設定してもよい。あるいは制御手段１４２は、設定したＳＤＯの値に応じてＥＩの値を設定してもよい。制御手段１４２は、例えばＳＤＯに設定した値を反転した値をＥＩに設定してもよい。
【００６０】
制御手段１４２は、高速デジタルＩ／Ｆ３３０を介して出力するコンテンツの輝度レンジがＳＤＲ(Standard Dynamic Range)かつ色域が従来色域かつ画素数が２Ｋ１Ｋを超えないかどうかを、コンテンツに付随して送られてくるＳＩ信号に含まれる映像コンポーネント記述子の映像信号伝達特性(video_transfer_characteristics)によって判定し、ＥＩに設定する値を決定してもよい。この場合制御手段１４２は、映像信号伝達特性が１である場合にはＥＩに０を設定し、それ以外の場合にはＥＩに１を設定する。あるいは制御手段１４２は、映像信号伝達特性が１または２である場合にはＥＩに０を設定し、それ以外の場合にはＥＩに１を設定するとしてもよい。
【００６１】
また制御手段１４２は、高速デジタルＩ／Ｆ３３０を介して出力するコンテンツの輝度レンジがＳＤＲ(Standard Dynamic Range)かつ色域が従来色域かつ画素数が２Ｋ１Ｋを超えないかどうかを、コンテンツに付随して送られてくるＳＩ信号に含まれる映像コンポーネント記述子の映像信号伝達特性(video_transfer_characteristics)によって判定し、ＳＤＯに設定する値を決定してもよい。この場合制御手段１４２は、映像信号伝達特性が１である場合にはＳＤＯに１を設定し、それ以外の場合にはＳＤＯに０を設定する。あるいは制御手段１４２は、映像信号伝達特性が１または２である場合にはＳＤＯに１を設定し、それ以外の場合にはＳＤＯに０を設定するとしてもよい。
【００６２】
また制御手段１４２は、高速デジタルＩ／Ｆ３３０を介して出力するコンテンツの画素数が２Ｋ１Ｋを超えないかどうかを、コンテンツに付随して送られてくるＳＩ信号に含まれる映像コンポーネント記述子の映像信号解像度(video_resolution)によって判定し、ＥＩに設定する値を決定してもよい。この場合制御手段１４２は、映像信号解像度６若しくは７である場合にはＥＩに１を設定し、それ以外の場合にはＥＩに０を設定する。
【００６３】
また制御手段１４２は、高速デジタルＩ／Ｆ３３０を介して出力するコンテンツの画素数が２Ｋ１Ｋを超えないかどうかを、コンテンツに付随して送られてくるＳＩ信号に含まれる映像コンポーネント記述子の映像信号解像度(video_resolution)によって判定し、ＳＤＯに設定する値を決定してもよい。この場合制御手段１４２は、映像信号解像度６若しくは７である場合にはＳＤＯに０を設定し、それ以外の場合にはＳＤＯに１を設定する。
【００６４】
また制御手段１４２は、ＡＥＴに１を設定する。
図６から図１９までは、非特許文献３に記載の通り、図５Ａおよび図５Ｂで説明したＤｅｓｃｒｉｐｔｏｒ１に含まれる各コンテンツ利用識別子のビットアサインと、そのビットアサインに対応する意味を示す一覧である。
【００６５】
図６は、ＲＭ(Retention_mode)のビットアサイン６０１と、各ビットアサインの意味６０２を示す一覧である。ＲＭの各ビットアサインの右側に記載されている内容が、該当するビットアサインの意味である。例えばＲＭのビットアサイン６０１が０は、ＣＣＩに設定されている値が１１の場合は、ＤＴＣＰ２によるコンテンツ保護のモードがＲｅｔｅｎｔｉｏｎＭｏｄｅであることを意味しており、ＣＣＩに１１以外が設定されている場合は、ＲｅｔｅｎｔｉｏｎＭｏｄｅでないことを意味している。またＲＭのビットアサイン６０１が１は、ＤＴＣＰ２によるコンテンツ保護のモードがＲｅｔｅｎｔｉｏｎＭｏｄｅでないことを意味している。
【００６６】
同様に図７は、ＲｅｔｅｎｔｉｏｎＳｔａｔｅのビットアサイン７０１と、各ビットアサインのＲｅｔｅｎｔｉｏｎＴｉｍｅ７０２を示す一覧である。ＲｅｔｅｎｔｉｏｎＳｔａｔｅの各ビットアサインの右側に記載されている内容が、該当するビットアサインのＲｅｔｅｎｔｉｏｎＴｉｍｅである。
【００６７】
同様に図８は、ＥＰＮのビットアサイン８０１と、各ビットアサインの意味８０２を示す一覧である。
同様に図９は、ＣＣＩのビットアサイン９０１と、各ビットアサインの意味９０２を示す一覧である。
同様に図１０は、ＡＥＴのビットアサイン１００１と、各ビットアサインの意味１００２を示す一覧である。
【００６８】
同様に図１１は、ＤＯＴのビットアサイン１１０１と、各ビットアサインの意味１１０２を示す一覧である。
同様に図１２は、ＡＳＴのビットアサイン１２０１と、各ビットアサインの意味１２０２を示す一覧である。
同様に図１３は、ＩＣＴのビットアサイン１３０１と、各ビットアサインの意味１３０２を示す一覧である。
【００６９】
同様に図１４は、ＡＰＳのビットアサイン１４０１と、各ビットアサインの意味１４０２を示す一覧である。
同様に図１５は、ＳＤＯのビットアサイン１５０１と、各ビットアサインの意味１５０２を示す一覧である。
同様に図１６は、ＨＤＲのビットアサイン１６０１と、各ビットアサインの意味１６０２を示す一覧である。
【００７０】
同様に図１７は、Ｌ２−Ｏｎｌｙのビットアサイン１７０１と、各ビットアサインの意味１７０２を示す一覧である。
同様に図１８は、ＥＩのビットアサイン１８０１と、各ビットアサインの意味１８０２を示す一覧である。
同様に図１９は、ＣＣのビットアサイン１９０１と、各ビットアサインの意味１９０２を示す一覧である。
【００７１】
また図２０Ａから図２２Ｃまでは、非特許文献１に記載の通り、図５Ａで説明したコンテンツコピー制御記述子のフォーマットおよびコンテンツ利用制御記述子のフォーマット並びに図５Ｂで説明した映像コンポーネント記述子のフォーマットを示す図である。
【００７２】
図２０Ａは、コンテンツコピー制御記述子のフォーマットを示す図である。
図２０Ｂは、デジタルコピー制御情報(digital_recording_control_data)のビットアサイン２０１１と、各ビットアサインの意味２０１２を示す一覧である。
【００７３】
図２０Ａの２００１がデジタルコピー制御情報(digital_recording_control_data)である。デジタルコピー制御情報(digital_recording_control_data)２００１は、００から１１のビットアサインに応じて、図２０Ｂに示すように意味が定義されている。例えばデジタルコピー制御情報のビットアサインが００は、制約条件なしにコピー可能であることを意味している。
【００７４】
図２１Ａは、コンテンツ利用制御記述子のフォーマットを示す図である。
図２１Ｂは、一時蓄積許容時間(retention_state)のビットアサイン２１１１と、各ビットアサインの一時蓄積許容時間２１１２を示す一覧である。
図２１Ａの２１０１が一時蓄積制御ビット(retention_mode)、２１０２が一時蓄積許容時間(retention_state)、２１０３が出力保護ビット(encryption_mode)である。
【００７５】
一時蓄積制御ビット(retention_mode)２１０１の値が０は、受信したコンテンツに付随したコンテンツコピー制御記述子のdigital_recording_control_dataの値が１１（コピー禁止）であっても、放送信号受信装置１４０は該当コンテンツを一時蓄積することが可能であることを意味しており、１の場合は、放送信号受信装置１４０は、受信したコンテンツを一時蓄積することができないことを意味している。
【００７６】
一時蓄積許容時間(retention_state)２１０２は、０００から１１１のビットアサインに応じて、図２１Ｂに示すように一時蓄積許容時間が定義されている。例えば一時蓄積許容時間のビットアサインが１１１は、一時蓄積許容時間が１時間３０分であることを意味している。
【００７７】
出力保護ビット(encryption_mode)２１０３の値が０は、高速デジタルＩ／Ｆ３３０を介してコンテンツを出力する際に、コンテンツ保護の処理を行わなければならないことを意味しており、１の場合は、高速デジタルＩ／Ｆ３３０を介してコンテンツを出力する際に、コンテンツ保護の処理を行わなくてよいことを意味している。
【００７８】
図２２Ａは、映像コンポーネント記述子のフォーマットを示す図である。
図２２Ａの２２０１が映像信号解像度(video_resolution)、２２０２が映像信号伝達特性(video_transfer_characteristics)である。
【００７９】
図２２Ｂは、映像信号解像度(video_resolution)のビットアサイン２２１１と、各ビットアサインの意味２２１２を示す一覧である。
図２２Ｃは、映像信号伝達特性(video_transfer_characteristics)のビットアサイン２２１３と、各ビットアサインの意味２２１４を示す一覧である。
【００８０】
また本実施形態に係る放送信号受信装置１４０は、放送波で送られてきたコンテンツを高速デジタルＩ／Ｆ３３０を介して出力する場合、ＣＭＩのＤｅｓｃｒｉｐｔｏｒ１に図５Ｂに示した設定値以外を設定してもよい。
図２３は、本実施形態に係る放送信号受信装置１４０において、受信したコンテンツを高速デジタルＩ／Ｆ３３０を介して出力するために、ＣＭＩのＤｅｓｃｒｉｐｔｏｒ１に含まれるＤＯＴ、ＡＳＴの各コンテンツ利用識別子に設定する設定値の他の例を示す図である。図５Ｂの場合と異なり図２３の例では、ＤＯＴには０、ＡＳＴには０が設定される。これ以外の各コンテンツ利用識別子に設定される設定値は、図５Ａおよび図５Ｂの場合と同一である。
【００８１】
図２４は、本実施形態に係る放送信号受信装置１４０において、受信したコンテンツを高速デジタルＩ／Ｆ３３０を介して出力するために、Ｄｅｓｃｒｉｐｔｏｒ１の各コンテンツ利用識別子に値を設定する処理フローの例を示す図である。
例えばＮＶＲＡＭ３２１に設定されている受信したコンテンツの出力先が高速デジタルＩ／Ｆ３３０になっている場合、制御手段１４２は、コンテンツを受信すると、受信したコンテンツに対してＤＴＣＰ２によるコンテンツ保護を施すために、Ｄｅｓｃｒｉｐｔｏｒ１の各コンテンツ利用識別子に値を設定する設定処理を開始する（Ｓ２４００）。
【００８２】
制御手段１４２は、受信したコンテンツに付随するＳＩ信号に、コンテンツコピー制御記述子が含まれているかを確認する（Ｓ２４０１）。
確認した結果コンテンツコピー制御記述子が含まれていない場合（Ｓ２４０１のＮｏ）、Ｄｅｓｃｒｉｐｔｏｒ１の各コンテンツ利用識別子に設定を行わずに（Ｓ２４１９、図５Ａの５８の場合）処理を終了する（Ｓ２４３０）。この場合制御手段１４２は、受信したコンテンツにコンテンツ保護を施すことなく、高速デジタルＩ／Ｆ３３０を介して出力する。
【００８３】
確認した結果コンテンツコピー制御記述子が含まれている場合（Ｓ２４０１のＹｅｓ）、制御手段１４２は、コンテンツコピー制御記述子のデジタルコピー制御情報の値を確認する（Ｓ２４０２）。
確認（Ｓ２４０２）した結果、デジタルコピー制御情報の値が００の場合（Ｓ２４０３が００の場合）、制御手段１４２は、出力保護ビットの値を確認する（Ｓ２４０４）。
【００８４】
確認（Ｓ２４０４）した結果、出力保護ビットの値が１の場合（Ｓ２４０５が１の場合）、制御手段１４２は、Ｄｅｓｃｒｉｐｔｏｒ１の各コンテンツ利用識別子に設定を行わずに（Ｓ２４０６、図５の５１の場合）処理を終了する（Ｓ２４３０）。この場合制御手段１４２は、受信したコンテンツにコンテンツ保護を施すことなく、高速デジタルＩ／Ｆ３３０を介して出力する。
【００８５】
確認した（Ｓ２４０４）結果、出力保護ビットの値が０の場合（Ｓ２４０５が０の場合）、制御手段１４２は、Ｄｅｓｃｒｉｐｔｏｒ１の各コンテンツ利用識別子に図５Ａに示す５２の組み合わせの値を設定する（Ｓ２４０７）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む、図５Ｂに示す５９−１の組み合わせの値を設定（Ｓ２４２２）して、処理を終了する（Ｓ２４３０）。
【００８６】
Ｓ２４０２において確認した結果、デジタルコピー制御情報の値が１０の場合（Ｓ２４０３が１０の場合）、制御手段１４２は、受信したコンテンツを高速デジタルＩ／Ｆ３３０を介して出力する際に、蓄積してから出力する設定になっているかを確認する（Ｓ２４０８）。制御手段１４２は、蓄積してから出力する設定になっているかを、例えばＮＶＲＡＭ３２１に保存されている情報を参照することで確認することができる。
【００８７】
確認（Ｓ２４０８）した結果、蓄積を行わないで出力する設定になっている場合（Ｓ２４０９のＮｏ）、制御手段１４２は、Ｄｅｓｃｒｉｐｔｏｒ１の各コンテンツ利用識別子に図５Ａに示す５３の組み合わせの値を設定する（Ｓ２４１０）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む、図５Ｂに示す５９−１の組み合わせの値を設定（Ｓ２４２２）して、処理を終了する（Ｓ２４３０）。
【００８８】
確認（Ｓ２４０８）した結果、蓄積してから出力する設定になっている場合（Ｓ２４０９のＹｅｓ）、制御手段１４２は、Ｄｅｓｃｒｉｐｔｏｒ１の各コンテンツ利用識別子に図５Ａに示す５４の組み合わせの値を設定する（Ｓ２４１１）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む、図５Ｂに示す５９−１の組み合わせの値を設定（Ｓ２４２２）して、処理を終了する（Ｓ２４３０）。
【００８９】
Ｓ２４０２において確認した結果、デジタルコピー制御情報の値が１１の場合（Ｓ２４０３が１１の場合）、制御手段１４２は、一時蓄積ビットの値を確認する（Ｓ２４１３）。
確認（Ｓ２４１３）した結果、一時蓄積ビットの値が１の場合（Ｓ２４１４が１の場合）、制御手段１４２は、Ｄｅｓｃｒｉｐｔｏｒ１の各コンテンツ利用識別子に図５Ａに示す５６の組み合わせの値を設定する（Ｓ２４１７）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む図５Ｂに示す、５９−１の組み合わせの値を設定（Ｓ２４２２）して、処理を終了する（Ｓ２４３０）。
【００９０】
確認（Ｓ２４１３）した結果、一時蓄積ビットの値が０の場合（Ｓ２４１４が０の場合）、制御手段１４２は、受信したコンテンツを高速デジタルＩ／Ｆ３３０を介して出力する際に、一時蓄積を行ってから出力する設定になっているかを確認する（Ｓ２４１５）。
【００９１】
確認（Ｓ２４１５）した結果、一時蓄積を行って出力する設定になっている場合（Ｓ２４１６のＹｅｓ）、制御手段１４２は、Ｄｅｓｃｒｉｐｔｏｒ１の各コンテンツ利用識別子に図５Ａに示す５７の組み合わせの値を設定する（Ｓ２４１８）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む、図５Ｂに示す５９−１の組み合わせの値を設定（Ｓ２４２２）して、処理を終了する（Ｓ２４３０）。
【００９２】
確認（Ｓ２４１５）した結果、一時蓄積を行わないで出力する設定になっている場合（Ｓ２４１６のＮｏ）、制御手段１４２は、Ｄｅｓｃｒｉｐｔｏｒ１の各コンテンツ利用識別子に図５Ａに示す５６の組み合わせの値を設定する（Ｓ２４１７）。さらに制御手段１４２は、映像コンポーネント記述子の映像信号伝達特性の値を確認する（Ｓ２４２１）。制御手段１４２は、Ｄｅｓｃｒｉｐｔｏｒ１の各コンテンツ利用識別子に、Ｓ２４２１で確認した映像信号伝達特性を用いて決定したＥＩの値を含む図５Ｂに示す、５９−１の組み合わせの値を設定（Ｓ２４２２）して、処理を終了する（Ｓ２４３０）。
【００９３】
Ｓ２４０２において確認した結果、デジタルコピー制御情報の値が０１の場合（Ｓ２４０３が０１の場合）、制御手段１４２は、受信したコンテンツを高速デジタルＩ／Ｆ３３０を介して出力することは禁止されていると判断して（Ｓ２４１２、図５Ａの５５の場合）処理を終了する（Ｓ２４３０）。
【００９４】
制御手段１４２は、Ｄｅｓｃｒｉｐｔｏｒ１の各コンテンツ利用識別子に、図５Ａに示す５２の組み合わせの値と図５Ｂに示す５９−１の組み合わせの値、あるいは図５Ａに示す５３の組み合わせの値と図５Ｂに示す５９−１の組み合わせの値、図５Ａに示す５４の組み合わせの値と図５Ｂに示す５９−１の組み合わせの値、図５Ａに示す５６の組み合わせの値と図５Ｂに示す５９−１の組み合わせの値、図５Ａに示す５７の組み合わせの値と図５Ｂに示す５９−１の組み合わせの値のいずれかを設定した場合に、設定済みのＤｅｓｃｒｉｐｔｏｒ１を含めてＤＴＣＰ２のフォーマットに従い、該当コンテンツを高速デジタルＩ／Ｆ３３０を介して出力する。
【００９５】
図２５は、本実施形態に係る放送信号受信装置１４０において、高速デジタルＩ／Ｆ３３０を介してコンテンツを送出する場合、送出先の接続機器までの送出ルートの例を概略的に示す図である。接続機器は、例としてネットワーク１２０を経由して接続されているレコーダ１３１（ディスプレイ１３２と接続）とする。
【００９６】
放送信号受信装置１４０が受信したコンテンツに付随するコンテンツコピー制御記述子のデジタルコピー制御情報(digital_recording_control_data)が１１（コピー禁止）の場合を例に説明する。
制御手段１４２は、受信したコンテンツに付随するコンテンツコピー制御記述子のデジタルコピー制御情報(digital_recording_control_data)が１１（コピー禁止）の場合、ネットワーク１２０を経由して接続されているレコーダ１３１に接続されたディスプレイ１３２において、受信したコンテンツを視聴だけできるようにＤｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅの値を設定することができる。
【００９７】
この場合制御手段１４２は、受信したコンテンツを蓄積装置（手段）２５２０に一時蓄積してから出力するか、蓄積装置（手段）２５２０に一時蓄積せずに出力するかで、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに設定する値が異なる。
【００９８】
受信したコンテンツを蓄積装置（手段）２５２０に一時蓄積せず出力する場合、制御手段１４２は、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに、図５Ａの５６に示す組み合わせの値を設定する。これにより放送信号受信装置１４０で受信したコンテンツは、ＣＣＩ、ＥＰＮ、Ｒｅｔｅｎｔｉｏｎ＿ｍｏｄｅ、Ｒｅｔｅｎｔｉｏｎ＿Ｓｔａｔｅが図５Ａの５６に示す組み合わせの値で設定されたＤＴＣＰ２のフォーマットに従ってコンテンツ保護が施され、レコーダ１３１に対してルート２５０１で送出される。
【００９９】
コンテンツ保護が施されたコンテンツを受信した他の放送信号受信装置１４０−２は、ＣＣＩ、ＥＰＮ、Ｒｅｔｅｎｔｉｏｎ＿ｍｏｄｅ、Ｒｅｔｅｎｔｉｏｎ＿Ｓｔａｔｅの値を参照することで、受信したコンテンツを視聴または一時蓄積（タイムシフト）のみ可能でコピーすることはできないように制御する。
【０１００】
受信したコンテンツを蓄積装置（手段）２５２０に一時蓄積して出力する場合、制御手段１４２は、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに、図５Ａの５７に示す組み合わせの値を設定する。これにより放送信号受信装置１４０で受信したコンテンツは、ＣＣＩ、ＥＰＮ、Ｒｅｔｅｎｔｉｏｎ＿ｍｏｄｅ、Ｒｅｔｅｎｔｉｏｎ＿Ｓｔａｔｅが図５Ａの５７に示す組み合わせの値で設定されたＤＴＣＰ２のフォーマットに従ってコンテンツ保護が施され、レコーダ１３１に対してルート２５０２で送出される。
【０１０１】
コンテンツ保護が施されたコンテンツを受信したレコーダ１３１は、ＣＣＩ、ＥＰＮ、Ｒｅｔｅｎｔｉｏｎ＿ｍｏｄｅ、Ｒｅｔｅｎｔｉｏｎ＿Ｓｔａｔｅの値を参照することで、受信したコンテンツを接続されているディスプレイ１３２で視聴のみ可能で、一時蓄積（タイムシフト）もコピーも不可能なように制御する。
【０１０２】
図２６Ａは、本実施形態に係る放送信号受信装置１４０において、高速デジタルＩ／Ｆ３３０を介してコンテンツを送出する場合、送出先であるレコーダ１３１までの送出ルートの別の例を概略的に示す図である。接続機器は、図２５同様にネットワーク１２０を経由して接続されているレコーダ１３１（ディスプレイ１３２と接続）とする。
【０１０３】
放送信号受信装置１４０が受信したコンテンツに付随するコンテンツコピー制御記述子のデジタルコピー制御情報(digital_recording_control_data)が００（制約条件なしにコピー可能）の場合を例に説明する。
制御手段１４２は、受信したコンテンツに付随するコンテンツコピー制御記述子のデジタルコピー制御情報が００（制約条件なしにコピー可能）の場合、ネットワーク１２０を経由して接続されているレコーダ１３１において、受信したコンテンツを制約条件なしにコピーすることができるようにＤｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅの値を設定することができる。
【０１０４】
この場合制御手段１４２は、コンテンツ利用制御記述子の出力保護ビット(encryption_mode)の値によって、出力の処理が異なる。
出力保護ビットが０（コンテンツ保護が必要）場合、制御手段１４２は、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに、図５Ａの５２に示す組み合わせの値を設定する。これにより放送信号受信装置１４０で受信したコンテンツは、ＣＣＩ、ＥＰＮ、Ｒｅｔｅｎｔｉｏｎ＿ｍｏｄｅ、Ｒｅｔｅｎｔｉｏｎ＿Ｓｔａｔｅが図５Ａの５２に示す組み合わせの値で設定されたＤＴＣＰ２のフォーマットに従ってコンテンツ保護が施され、レコーダ１３１に対してルート２６０１で送出される。
【０１０５】
なお受信したコンテンツに付随するコンテンツコピー制御記述子のデジタルコピー制御情報が００（制約条件なしにコピー可能）の場合、ルート２６０１のように蓄積装置２５２０に蓄積しないで送出する場合でも、ルート２６０２のように蓄積装置２５２０に蓄積（記録、コピーとも言う）してから送出する場合でも、ＣＣＩ、ＥＰＮ、Ｒｅｔｅｎｔｉｏｎ＿ｍｏｄｅ、Ｒｅｔｅｎｔｉｏｎ＿Ｓｔａｔｅに設定する値は変わらない。
【０１０６】
出力保護ビットが１（コンテンツ保護が必要なし）の場合、制御手段１４２は、受信したコンテンツにコンテンツ保護を施すことなく、高速デジタルＩ／Ｆ３３０を介して出力する。  コンテンツ保護が施されたコンテンツを受信したレコーダ１３１は、ＣＣＩ、ＥＰＮ、の値を参照することで、受信したコンテンツを制約条件なしにコピーできるように制御する。
【０１０７】
図２６Ｂは、本実施形態に係る放送信号受信装置１４０において、高速デジタルＩ／Ｆ３３０を介してコンテンツを送出する場合、送出先であるレコーダ１３１までの送出ルート別の例を概略的に示す図である。接続機器は、図２５同様にネットワーク１２０を経由して接続されているレコーダ１３１（ディスプレイ１３２と接続）とする。
【０１０８】
放送信号受信装置１４０が受信したコンテンツに付随するコンテンツコピー制御記述子のデジタルコピー制御情報が１０（1世代のみコピー可能）の場合を例に説明する。
制御手段１４２は、受信したコンテンツに付随するコンテンツコピー制御記述子のデジタルコピー制御情報が１０（１世代のみコピー可能）の場合、ネットワーク１２０を経由して接続されているレコーダ１３１において、受信したコンテンツを１世代のみコピーすることができるようにＤｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅの値を設定することができる。
【０１０９】
この場合制御手段１４２は、受信したコンテンツを蓄積装置（手段）２５２０に蓄積（記録、コピーとも言う）してから出力するか、蓄積装置（手段）２５２０に蓄積（記録、コピーとも言う）しないで出力するかで、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに設定する値が異なる。
【０１１０】
受信したコンテンツを蓄積装置（手段）２５２０にコピーしないで出力する場合、制御手段１４２は、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに、図５Ａの５３に示す組み合わせの値を設定する。これにより放送信号受信装置１４０で受信したコンテンツは、ＣＣＩ、ＥＰＮ、Ｒｅｔｅｎｔｉｏｎ＿ｍｏｄｅ、Ｒｅｔｅｎｔｉｏｎ＿Ｓｔａｔｅが図５Ａの５３に示す組み合わせの値で設定されたＤＴＣＰ２のフォーマットに従ってコンテンツ保護が施され、レコーダ１３１に対してルート２６１１で送出される。
【０１１１】
コンテンツ保護が施されたコンテンツを受信したレコーダ１３１は、ＣＣＩ、ＥＰＮの値を参照することで、受信したコンテンツを１回だけコピーできるように制御する。
受信したコンテンツを蓄積装置（手段）２５２０に蓄積（記録、コピーとも言う）してから出力する場合、制御手段１４２は、Ｄｅｓｃｒｉｐｔｏｒ１のＣＣＩ、ＥＰＮ、Ｒｅｔｅｎｔｉｏｎ＿ｍｏｄｅ、Ｒｅｔｅｎｔｉｏｎ＿Ｓｔａｔｅに、図５Ａの５４に示す組み合わせの値を設定する。これにより放送信号受信装置１４０で受信したコンテンツは、ＣＣＩ、ＥＰＮ、Ｒｅｔｅｎｔｉｏｎ＿ｍｏｄｅ、Ｒｅｔｅｎｔｉｏｎ＿Ｓｔａｔｅが図５Ａの５４に示す組み合わせの値で設定されたＤＴＣＰ２のフォーマットに従ってコンテンツ保護が施され、レコーダ１３１に対してルート２６１２で送出される。
【０１１２】
コンテンツ保護が施されたコンテンツを受信したレコーダ１３１は、ＣＣＩ、ＥＰＮ、Ｒｅｔｅｎｔｉｏｎ＿ｍｏｄｅ、Ｒｅｔｅｎｔｉｏｎ＿Ｓｔａｔｅの値を参照することで、受信したコンテンツをコピーすることはできず、接続されているディスプレイ１３２で視聴と一時蓄積が可能で、コピーは不可能なように制御する。
【０１１３】
以上のように本実施形態に係る放送信号受信装置１４０は、放送信号で送られてきたコンテンツを高速デジタルＩ／Ｆ３３０を介してネットワーク１２０に接続されている接続機器に送出するために、そのコンテンツに付随するＳＩ情報に含まれるコンテンツコピー制御記述子およびコンテンツ利用制御記述子を用いて、高速デジタルＩ／Ｆ３３０を介してコンテンツを送出するための設定値を、ＤＴＣＰ２のフォーマットに設定することが可能である。このように制御することで放送信号受信装置１４０は、放送信号で送られてきたコンテンツに付随しているＳＩ情報に含まれるコンテンツ保護情報を引き継いでコンテンツ保護を施し、接続機器にコンテンツを送出することが可能となる。
【０１１４】
さらに本実施形態に係る放送信号受信装置１４０は、受信したコンテンツを出力する際に、蓄積装置へのコピーを経由して出力したか否かに応じて、コンテンツ保護を施し、接続機器にコンテンツを送出することも可能である。
さらに本実施形態に係る放送信号受信装置１４０は、放送信号で送られてきたコンテンツを高速デジタルＩ／Ｆ３３０を介してネットワーク１２０に接続されている接続機器に送出するために、そのコンテンツに付随するＳＩ情報に含まれる映像コンポーネント記述子の映像信号解像度(video_resolution)の値や映像信号伝達特性(video_transfer_characteristics)の値を用いて、コンテンツ保護を施し、接続機器にコンテンツを送出することも可能である。このようにコンテンツ保護を施すことで、放送信号受信装置１４０から送出されたコンテンツを受信した接続機器は、施されたコンテンツ保護の情報に適するように、受信したコンテンツの保護の制御を行うことが可能となる。例えば接続機器は、受信したコンテンツを別の外部機器へ出力する、しない等の制御を行うことが可能である。
【０１１５】
以上のように本実施形態の放送信号受信装置は、放送信号により受信したコンテンツを、ＩＰインタフェースを介して出力する際に、ＳＩ情報の内容に応じて適切はコンテンツ保護方式を行うことが可能となる。
本実施形態の放送信号受信装置１４０は、ＭＭＴ−ＴＬＶ方式で多重されている放送信号を受信する放送信号受信装置として説明したが、それに限らない。
【０１１６】
放送信号受信装置１４０は、例えばＭＰＥＧ−２方式で多重されている放送信号を受信する放送信号受信装置であってもよい。
以下、放送信号受信装置１４０が、ＭＰＥＧ−２方式で多重されている放送信号を受信する場合、受信したコンテンツをＩＰインタフェースを介して出力する場合のＣＭＩのＤｅｓｃｒｉｐｔｏｒ１の各コンテンツ利用識別子に設定する設定値の例について説明する。
【０１１７】
放送信号受信装置１４０がＭＰＥＧ−２方式で多重されている放送信号を受信する場合、放送信号で放送されるコンテンツに付随する制御情報であるＰＳＩ(Program Specific Information)やＳＩ(Service Information)には、コンテンツコピー制御記述子に対応する記述子としてデジタルコピー制御記述子が、コンテンツ利用制御記述子に対応する記述子としてコンテント利用記述子が、映像コンポーネント記述子に対応する記述子としてビデオデコードコントロール記述子が含まれる。
【０１１８】
図２７は、ＭＰＥＧ−２方式で多重されている放送信号を受信する放送信号受信装置１４０において、受信したコンテンツを高速デジタルＩ／Ｆ３３０を介して出力するために、ＣＭＩのＤｅｓｃｒｉｐｔｏｒ１に含まれるＣＣ、ＡＰＳ等の各コンテンツ利用識別子に設定する設定値の一例を示す図である
制御手段１４２は、デジタルコピー制御記述子のコピー制御形式情報(copy_control_type)が０１の場合は、図５Ａの一覧の場合と同様に、デジタルコピー制御記述子のコピー制御形式情報(copy_control_type)の値およびデジタルコピー制御情報(digital_recording_control_data)の値、コンテント利用記述子の出力保護ビット(encryption_mode)の値、一時蓄積制御ビット(retention_mode)の値および一時蓄積許容時間(retention_state)の値の組み合わせに応じて、Ｄｅｓｃｒｉｐｔｏｒ１に含まれるＣＣＩ、ＥＰＮ、およびＲｅｔｅｎｔｉｏｎ＿ｍｏｄｅ／Ｒｅｔｅｎｔｉｏｎ＿Ｓｔａｔｅに図２７に示す５２、５３、５４、５６、５７の値の組み合わせの値を設定する。
【０１１９】
同様に制御手段１４２は、コピー制御形式情報(copy_control_type)が０１以外の場合は、受信したコンテンツを高速デジタルＩ／Ｆ３３０を介して出力することが禁止されていると判断して、処理を終了する（図２７の５５−２場合）。
【０１２０】
同様に制御手段１４２は、コンテンツに付随するＳＩ情報にコンテンツコピー制御記述子が含まれていない場合、Ｄｅｓｃｒｉｐｔｏｒ１の各コンテンツ利用識別子に設定を行わずに、処理を終了する（図２７の５８の場合）。この場合制御手段１４２は、受信したコンテンツにコンテンツ保護を施すことなく、高速デジタルＩ／Ｆ３３０を介して出力する。
【０１２１】
さらに制御手段１４２は、放送波で送られてきたコンテンツを高速デジタルＩ／Ｆ３３０を介して出力する場合、Ｄｅｓｃｒｉｐｔｏｒ１に含まれるＣＣ(Copy Count)、ＡＰＳ(Analog Protection System)、ＩＣＴ(Image_Constrain_Token)、ＤＯＴ(Digital_Only_Token)、ＡＳＴ(Analog_Sunset_Token)、ＨＤＲ(Hight_Dynamic_Range_Token)、Ｌ２−Ｏｎｌｙ(L2_protection-Only_Token)、ＥＩ(Enhanced_Image_Token)、ＳＤＯ(Standard_Digital_Output_Token)、ＡＥＴ(Audio Enhancement Token)の各コンテンツ利用識別子の設定値も設定する。
【０１２２】
制御手段１４２が各コンテンツ利用識別子に設定する値は、例えば図５Ｂに示す例と同じ値であってもよい。
ただし制御手段１４２は、ＡＰＳについては、コンテント利用記述子のアナログ出力コピー制御情報(APS_Control_Data)の値をそのまま設定してもよい。また制御手段１４２は、ＥＩの値の設定については、ＰＳＩに含まれるビデオデコードコントロール記述子のビデオエンコードフォーマット(video_encode_format)および／または伝達特性(transfer_characteristics)のビットアサインに対応して設定する値を決定してもよいし、ＳＩ情報に関わらず０を設定してもよい。また制御手段１４２は、ＳＤＯの設定については、制御手段１４２は、ＰＳＩに含まれるビデオデコードコントロール記述子のビデオエンコードフォーマット(video_encode_format)および／または伝達特性(transfer_characteristics)のビットアサインに対応して設定する値を決定してもよいし、ＳＩ情報に関わらず１を設定してもよい。
【０１２３】
以上のように、本実施形態の放送信号受信装置１４０は、ＭＰＥＧ−２方式で多重されている放送信号を受信する場合においても、受信したコンテンツをＩＰインタフェースを介して出力する際に、ＤＴＣＰ２を用いてコンテンツ保護を施して出力することが可能である。
【０１２４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１２５】
１００・・・放送信号送信装置、１５０・・・通信衛星、１４０・・・放送信号受信装置、１２０・・・ネットワーク、１３１・・・レコーダ、１３２・・・ディスプレイ、１４０−２・・・他の放送信号受信装置、１６０・・・表示装置、１６２・・・ＨＤＤ、１６５・・・リムーバブルディスク。
【図１】
2020088796.tif 000003
【図２】
2020088796.tif 000004
【図３】
2020088796.tif 000005
【図４】
2020088796.tif 000006
【図５Ａ】
2020088796.tif 000007
【図５Ｂ】
2020088796.tif 000008
【図６】
2020088796.tif 000009
【図７】
2020088796.tif 000010
【図８】
2020088796.tif 000011
【図９】
2020088796.tif 000012
【図１０】
2020088796.tif 000013
【図１１】
2020088796.tif 000014
【図１２】
2020088796.tif 000015
【図１３】
2020088796.tif 000016
【図１４】
2020088796.tif 000017
【図１５】
2020088796.tif 000018
【図１６】
2020088796.tif 000019
【図１７】
2020088796.tif 000020
【図１８】
2020088796.tif 000021
【図１９】
2020088796.tif 000022
【図２０Ａ】
2020088796.tif 000023
【図２０Ｂ】
2020088796.tif 000024
【図２１Ａ】
2020088796.tif 000025
【図２１Ｂ】
2020088796.tif 000026
【図２２Ａ】
2020088796.tif 000027
【図２２Ｂ】
2020088796.tif 000028
【図２２Ｃ】
2020088796.tif 000029
【図２３】
2020088796.tif 000030
【図２４】
2020088796.tif 000031
【図２５】
2020088796.tif 000032
【図２６Ａ】
2020088796.tif 000033
【図２６Ｂ】
2020088796.tif 000034
【図２７】
2020088796.tif 000035